(57)【特許請求の範囲】
【請求項１】
寝具を載置する第１の載置枠の一端側に第１の支脚部を設けた第１のベッド枠体、寝具を載置する第２の載置枠の一端側に第２の支脚部を設ける第２のベッド枠体、及び第１の載置枠と第２の載置枠との向き合う他端を、該第１、第２の載置枠が展開される展開状態と、第１、２の支脚部が近づき逆Ｖ字状の垂直状態との間で折り畳み展開可能に継ぎかつ中間支脚部を有する継ぎ部材からなるベッド基体を具えるとともに、
前記第１のベッド枠体は、前記第１の載置枠の前記一端で立上がり前記寝具のずれを防ぐ受け部と、展開状態において該受け部から立ち上がることによりベッド宮部をなす立上げ部とからなる宮付き受具を具えるとともに、前記立上げ部は、傾動ロック手段を有して前記受け部に取付けられ、
前記傾動ロック手段は、中心孔、べッド前側に向いて開口する前スロット部、及び垂直線に対して後に傾いて開口する立上がりスロット部を有するとともに、前記受け部に設けた下ロック金具と、縦の長孔、及び前記前スロット部及び立上がりスロット部に嵌着しうる係止ピンを有するとともに、前記立上げ部に設けた上ロック金具と、前記中心孔及び長孔に挿通して両者を継ぐ挿通軸とからなることを特徴とする折畳みベッド。
【請求項２】
前記下ロック金具は、略円板状をなす基板部を設けるとともに、この基板部の外周縁に前記前スロット部、及び立上がりスロット部が設けられ、
前スロット部と、立上がりスロット部との間の外周縁を、曲率半径が、その外側の外周縁の曲率半径よりも小としたことを特徴とする請求項１記載の折畳みベッド。
【請求項３】
前記宮付き受具は、前記第１，第２のベッド枠体が前記逆Ｖ字の垂直に折り畳まれた状態において、前記立上げ部が寝具に沿って、立ち上がることを特徴とする請求項１又は２記載の折畳みベッド。
【請求項４】
前記宮付き受具は、長軸材を用いて形成した受け部形成用の受け部枠体、及び立上げ部形成用の立上げ部枠体からなる受具基枠と、この受具基枠を封入するカバー体とからなることを特徴とする請求項１〜３のいずれかに記載の折畳みベッド。
【請求項５】
前記寝具は、各載置枠に載置されるマット半体と、これらのマット半体を連続して覆うシート体とからなり、かつ該シート体は、第１，２の載置枠のマット半体の上面をともに覆う基部と、その両側で垂下する側垂れ部と、該側垂れ部とは分離され前記第２の載置枠の前記マット半体のずれを防ぐ受具を前記第２の載置枠上のマット半体の一端側端面とともに覆う端垂れ部と、前記側垂れ部に連続し前記第１の載置枠上のマット半体の一端側端面で垂下する保持垂れ部とからなることを特徴とする請求項１〜４のいずれかに記載の折畳みベッド。
【発明の詳細な説明】
【０００１】
【発明の属する技術分野】
本発明は、寝具から立上がる宮部を具え、かつ垂直な折畳み状態においてはベッドの宮部の突出を無くし取り扱い性を向上した折畳みベッドに関する。
【０００２】
【従来の技術】
例えば図２３に示すように、逆Ｖ字状に、例えば布団、その他の寝具ａを敷いたまま垂直に折畳みし移動可能とする折畳みベッドが知られている。この折畳みベッドは、図２２に例示するように、寝具（マット）の半体（マット半体）ａ１，ａ２をそれぞれ載置しかつ各一端側に支脚部ｂ１，ｂ２を設けた載置枠を有する第１，２のベッド枠体ｄ１，ｄ２の他端側を、中間支脚部ｅを具備する継ぎ部材ｆにより連結したベッド基体を具える。
【０００３】
なお図示例では、前記第１のベッド枠体ｄ１の載置枠、支脚部ｂ１、中間支脚部ｅ、及び前記第２のベッド枠体ｄ２の載置枠、支脚部ｂ２、中間支脚部ｅはともに連結ロッドｈ、ｈによりそれぞれ連結されて支脚上方部分で平行クランク機構を構成し、かつ各支脚部ｂ１，ｂ２は車輪ｋを具えた移動脚であることにより、各支脚部ｂ１，ｂ２を近づける方向に折り畳むことによって、図２３のように折畳みベッドは寝具ａとともに逆Ｖ字状に折り畳まれる。又折畳みベッドは重量体であるために、ベッド及び寝具の重量により常にベッドを水平に展開する力が作用しているために、例えば引張バネを用いた引起こし手段ｉを用いて折畳み力を補助している。
【０００４】
【発明が解決しようとする課題】
しかしながら、通常のベッドにおいては、枕、書籍、眼鏡など、就寝に際して使用、乃至使用しない用品のベッドからの脱落を防ぎ、用品を収納し、又ときに背もたれとして用いられる宮具が寝具から突出して設けられるが、折畳みベッドにおいて、例えば図２２に示す宮部ｍを設けるときには、折畳み時においては、図２３で一点鎖線で示すように、この宮部ｍが支脚部ｂ１から略水平方向に突出し、収納に際して嵩張るとともに、ときに移動、歩行の障害となり取り扱い性に劣る。
【０００５】
本発明は、ベッド宮部をなす宮付き受具の立上げ部の高さを減じうることにより、折畳み状態においても、この立上げ部が水平に突出することを防ぎ、取り扱い性を高めうる折畳みベッドの提供を目的としている。
【０００６】
【課題を解決するための手段】
本発明のうち請求項１記載の発明は、寝具を載置する第１の載置枠の一端側に第１の支脚部を設けた第１のベッド枠体、寝具を載置する第２の載置枠の一端側に第２の支脚部を設ける第２のベッド枠体、及び第１の載置枠と第２の載置枠との向き合う他端を、該第１、第２の載置枠が展開される展開状態と、第１、２の支脚部が近づき逆Ｖ字状の垂直状態との間で折り畳み展開可能に継ぎかつ中間支脚部を有する継ぎ部材からなるベッド基体を具えるとともに、
前記第１のベッド枠体は、前記第１の載置枠の前記一端で立上がり前記寝具のずれを防ぐ受け部と、展開状態において該受け部から立ち上がることによりベッド宮部をなす立上げ部とからなる宮付き受具を具えるとともに、前記立上げ部は、傾動ロック手段を有して前記受け部に取付けられ、
前記傾動ロック手段は、中心孔、べッド前側に向いて開口する前スロット部、及び垂直線に対して後に傾いて開口する立上がりスロット部を有するとともに、前記受け部に設けた下ロック金具と、縦の長孔、及び前記前スロット部及び立上がりスロット部に嵌着しうる係止ピンを有するとともに、前記立上げ部に設けた上ロック金具と、前記中心孔及び長孔に挿通して両者を継ぐ挿通軸とからなることを特徴とする折畳みベッドである。
【０００７】
又請求項２に係る発明は、前記下ロック金具は、略円板状をなす基板部を設けるとともに、この基板部の外周縁に前記前スロット部、及び立上がりスロット部が設けられ、前スロット部と、立上がりスロット部との間の外周縁を、曲率半径が、その外側の外周縁の曲率半径よりも小としたことを特徴とし、かつ請求項３の発明は、前記宮付き受具が、前記第１，第２のベッド枠体が前記逆Ｖ字の垂直に折り畳まれた状態において、前記立上げ部が寝具に沿って、立ち上がることを特徴としている。
【０００８】
さらに請求項４に係る発明は、前記宮付き受具が、長軸材を用いて形成した受け部形成用の受け部枠体、及び立上げ部形成用の立上げ部枠体からなる受具基枠と、この受具基枠を封入するカバー体とからなることを特徴とし、かつ請求項５に係る発明は、前記寝具が、各載置枠に載置されるマット半体と、これらのマット半体を連続して覆うシート体とからなり、かつ該シート体は、第１，２の載置枠のマット半体の上面をともに覆う基部と、その両側で垂下する側垂れ部と、該側垂れ部とは分離され前記第２の載置枠の前記マット半体のずれを防ぐ受具を前記第２の載置枠上のマット半体の一端側端面とともに覆う端垂れ部と、前記側垂れ部に連続し前記第１の載置枠上のマット半体の一端側端面で垂下する保持垂れ部とからなることを特徴とする。
【０００９】
【発明の実施の形態】
以下本発明の実施の一形態を図面に基づき説明する。図１（図２に示すベッド床板２２を省略している）〜図３において、本発明の折畳みベッド１は、第１の載置枠３Ａの一端Ｓ１に第１の支脚部４Ａを設けた第１のベッド枠体５Ａ、第２の載置枠３Ｂの一端に第２の支脚部４Ｂを設ける第２のベッド枠体５Ｂ、及び第１の載置枠３Ａと第２の載置枠３Ｂとの向き合う他端Ｓ２を折り畳み可能に継ぎかつ中間支脚部７を有する継ぎ部材８からなるベッド基体９を具え（なお第１，第２と区別するときにはＡ，Ｂを数字末尾に付すが、区別する必要のないときは数字末尾のＡ，Ｂを省略する）、かつ前記第１のベッド枠体５Ａには、前記第１の載置枠３Ａの前記一端に宮付き受具１０を設けている。
【００１０】
前記第１，２の載置枠３Ａ，３Ｂは、パイプ材からなりかつベッド中心線Ｘ方向にのびる下開放の溝型材からなる補強材２１ａと、その両側の板受け材２１ｂ，２１ｂとを配した略矩形の周囲枠２１に、図２に示すように、ベッド床板２２・・・を前記板受け材２１ｂ，２１ｂに架け渡して固定することにより形成され、本形態では、各載置枠３には、マットの半分であるマット半体２Ａ，２Ｂと、これらのマット半体２Ａ，２Ｂとを連続して覆うシート体２Ｃとからなる寝具２を載置しうる。
【００１１】
また前記第１，２の支脚部４Ａ，４Ｂは、各載置枠３の前記周囲枠２１の側枠部２１ｃの前記各一端Ｓ１（前記のように支脚部４が取り付けられる側であって、ときに各後側と称する）側の近傍に枢着される（なお、ベッド中心線Ｘの両側方向を左右ということがある）。
【００１２】
この第１，２の支脚部４Ａ，４Ｂは、垂直な支柱部２３ａとその下端で一端Ｓ１側にのびる延長部とからなる左右のＬ字枠２３と、その間を連結する継ぎ材２４と、継ぎ材２４の中央部で他端Ｓ２側（前側）に小長さで折れ曲がる補助材２５を設けた支柱基体を具え、かつ前記延長部、補助材２５の先端にキャスターを設けている。
【００１３】
また前記各支柱部２３ａの上方には、図４に示すように、該支柱部２３ａの外側面の上取付金具２６と、内側面で取り付く下取付金具２７とが上下に固着される。上取付金具２６、下取付金具２７は前記一端Ｓ１側、即ち後側に突出しており、上取付金具２６の突出端で、前記各左右の側枠部２１ｃの内面をピンｐを用いて傾動可能に枢着している。
【００１４】
また前記第１，２の載置枠３Ａ，３Ｂの前記他端Ｓ２側には図５に示すように、前記側枠部２１ｃを延長して周囲枠２１の前枠部２１ｅを越えて突出する突出部２１ｄを形成し、この突出部２１ｄ，２１ｄを、連結金具２９によって向き合わせてかつ間隙を隔てて前記折畳み状態に折れ曲り可能に枢着する。
【００１５】
左右の連結金具２９は、結合軸３０により結合されるとともに、この結合軸３０に前記中間支脚部７、７を垂下し、かつこの左右の中間支脚部７，７間を、図１に示すように中央で上に折れ曲がる隆起部３３を有する脚台枠部３４により連結することによって前記継ぎ部材８を構成している。なお連結金具２９はカバー３５によって覆うことにより見栄えと安全性とを向上する（なお図１１に例示するように、脚台枠部３４は中間支脚部７の下端よりも上方で中間支脚部７，７間に間に架け渡すこともできる）。
【００１６】
さらに本形態では、前記中間支脚部７には、前記下取付金具２７（図４）の突端の透孔３７ａと同高さに透孔３７ｂを有する取付け金具３６を設け、かつ透孔３７ａ，３７ｂ間を連結ロッド１９で連結することにより、第１，２の載置枠３Ａ，３Ｂにおいて、各載置枠３と、連結ロッド１９と、支脚部４の上方部分、中間支脚部７の上方部分とによってそれぞれ平行クランク機構を形成している。これにより、図１９、２０に示すように、中間支脚部７、支脚部４の向きを一定、例えば垂直に保持しつつ折畳みできる。なお、第１，又は第２の載置枠３Ａ，３Ｂの一方のみを平行クランク機構とすることができ、また、平行クランク機構を用いない種々な折畳みベッドを採用しうる。
【００１７】
又本形態では、図１、図３に略示する引起こし手段１７を用いて折畳みを補助している。この引起こし手段１７は、図６に示す、前記載置枠３の前記補強材２１ａで固定され、前記他端Ｓ２から離れて固定された軸受け金具で枢支される前記滑車１７Ａと、前記中間支脚部７の前記隆起部３３に一端が固定されかつ前記滑車１７Ａ上面に巻掛されるひも状体１７Ｂと、このひも状体１７Ｂの他端に結合されるコイルバネ（ゴム体など他の弾性材も利用できる）などの弾性材１７Ｃとからなる引張部材１７Ｄとを有し、この引張部材１７Ｄの端部は載置枠３の適所で固定される。
【００１８】
なお滑車１７Ａは、前記ひも状体１７Ｂの一端を、前記隆起部３３に取付けることにより該ひも状体１７Ｂの垂直に対してなす角度θが、展開状態において、ベッドを側面視して３０〜６０゜、好ましくは４０〜５５゜程度、本形態では約４５゜となるように位置決めしている。前記ひも状体１７Ｂ及び弾性材１７Ｃは図７に示すように補強材２１ａの溝部を通ることにより、視野から隠し、見栄えを高めうる。
【００１９】
このような引起こし手段１７は、ベッドを折り畳むための引起こしモーメントＭ２変化を好ましいものとなしうる。即ち、図８（ａ）に示すように、滑車を用いることなく、引張部材を、中間支脚部ｐの下方と、載置枠ｑの後端との間で直接架け渡した場合では、ベッド枠体ｒ，ｒを引き起こすモーメント（以下引起こしモーメントＭ１という）は、引張部材のバネ力Ｔを仮に一定としたとき、図８（ｂ）に示すごとく、前記載置枠の水平な展開状態からの起きあがりの角度をα、引張部材の水平状態からの傾斜角をβ（下向きを正）とし、かつ載置枠の長さをＡ、中間支脚部ｐが垂直状態を保持されるとするとき、概略的に、Ｍ１＝ＴＡsin （α＋β）（αを折畳み角度という）として求めることができ、その変化を図１０の破線で示すように、（α＋β）が実質的に０゜（α＝９０゜、β＝−９０゜）となる折畳み状態では引起こしモーメントＭ１は０に近づく。なおベッド、寝具重量による負のモーメント、折畳みに伴うバネ長さの減少によるバネ力の低減を考慮するとき、全体として折畳み角度αが大になるに従い、載置枠の手による引き寄せが必要となる。
【００２０】
これに対して、本形態の引起こし手段１７では、載置枠３の前端と滑車１７Ａとの間の距離をＢとしたとき、引起こしモーメントＭ２はＭ２＝ＴＢsin （α＋β）であり、折畳み角度αが０゜（水平状態）から徐々に増大し、ひも状体１２と載置枠３とが実質的に直角となるαが９０度となる折畳み状態では、βは０、即ちsin （α＋β）が１に近づき、結果的に、図１０（定性的に示している。）の実線で示すごとく、折畳み角度が増すに従い引起こしモーメントＭ２が増加することとなり、作動初期は勿論、折畳み状態においても比較的大きい引起こしモーメントＭ２を発揮させることが従来のものに比して容易となり、展開状態においても自然に折畳み可能な持ち上げ力を作用させておくこともできる。
【００２１】
このためには、本形態においては、図４に示すように、第１の載置枠３Ａと第１の支脚部４Ａの展開状態において、前記周囲枠２１を貫通する挿通部４２と、前記支柱部２４ａに穿設した係止部４３とを位置合わせ可能とし、かつ位置合わせ状態において係止金具４５を挿入することにより浮き上がりを防止する浮上がり防止手段１８を設けている。なお係止金具４５は吊下げ具４６を用いて適宜吊下される。なおこの浮上がり防止手段１８は、前記第１の載置枠３Ａと第１の支脚部４Ａの他、前記第２の載置枠３Ｂと第２の支脚部４Ｂ、又は第１の載置枠３Ａと第２の載置枠３Ｂとの少なくとも一方と前記中間支脚部７とを回動不可に固定するものであれば多種のものを選択できる。
【００２２】
前記宮付き受具１０は、図１〜図３，図１１，図１２に示すように、第１の載置枠３Ａの後端に設けられ、又第２の載置枠３Ｂの後端には、寝具２であるマット半体２Ｂのずれ落ちを防ぐ受具１２を設けている。
【００２３】
前記宮付き受具１０は、寝具２のずれを防ぐ受け部１０Ａと、展開状態において該受け部１０Ａから立ち上がることによりベッド宮部をなす立上げ部１０Ｂとからなり、かつ前記立上げ部１０Ｂは、前記のように、寝具２からの高さを減じる高さ変化機構１３を有して前記受け部１０Ａに取付けられるとともに、この宮付き受具１０は、受具基枠１５と、この受具基枠１５を覆うカバー体１６とからなる。
【００２４】
前記受具基枠１５は、図１１に詳示するように、前記受け部１０Ａを構成するための受け部枠体１５Ａと、この受け部枠体１５Ａに前記高さ変化機構１３を介して連結されかつ前記立上げ部１０Ｂを構成するための立上げ部枠体１５Ｂとからなる。この受け部枠体１５Ａは、図４に一部を示すごとく、前記周囲枠２１の後枠部２１ｆのスペーサ２１ｇにより該周囲枠２１と間隙ｇを隔てて固定され前記後枠部２１ｆに平行な角筒体からなる取付軸１５ａを具える。
【００２５】
又受け部枠体１５Ａは、前記取付軸１５ａの両端と、その両端部で立設され、前記受け部１０Ａと略同高の立枠材１５ｂ上端との間を前記両側に向かって突出する左右のＵ字状枠１５ｃで結合し、かつ立枠材１５ｂ，ｂ間に横架材１５ｄを架設している。
【００２６】
又前記立上げ部枠体１５Ｂは、前記立枠材１５ｂの上方に前記高さ変化機構１３を介在させて一端を結合される支持軸１５ｆ，１５ｆの前記一端の外側面、他端間に、前記両側に向かって突出する左右のＵ字部を有する継ぎ材１５ｇを設け支持軸１５ｆ，１５ｆの上端を連結している。なお、受け部枠体１５Ａ、立上げ部枠体１５Ｂは、また軸乃至筒状体の折曲げ体の他、板状の部材を用いるなど種々な構成となしうる。
【００２７】
前記高さ変化機構１３は、前記立上げ部１０Ｂを、前記受け部１０Ａに対して立上がり状態で拘束するとともに、該立上げ部１０Ｂが前記寝具２に沿う倒れ状態に倒動することにより前記立上げ部１０Ｂの高さを減じ、本形態では前記立上げ部１０Ｂを、立上がり状態と倒動状態との間で傾動させる傾動ロック手段１４として構成されている。なお前記立上げ部１０Ｂを、前記受け部１０Ａに挿入させて伸縮する形式の前記高さ変化機構１３など、折畳み状態において前記立上げ部１０Ｂを折畳み体から突出しなければ、乃至突出量を抑制できれば種々のものを利用できる。
【００２８】
前記傾動ロック手段１４は、図１３〜図１５に示すように、前記受け部枠体１５Ａの立枠材１５ｂ上端に溶着される下ロック金具５１と、立上げ部枠体１５Ｂの前記支持軸１５ｆ下端に溶着される上ロック金具５２と、両者を継ぐ挿通軸５４とからなる。また前記下ロック金具５１は、前記立枠材１５ｂ内に挿入しうる胴部の上端に略円板状をなす基板部を設け、この基板部には、中心孔５５ａと、ベッド前側に向いて水平に開口する前スロット部５５ｂと、垂直線に対して後ろに約５〜２０゜、好ましくは５〜１５゜、本例では１０゜で傾いて開口する立上がりスロット部５５ｃとを外周縁に設けている。なお前記前スロット部５５ｂと、立上がりスロット部５５ｃとの間の外周縁を、曲率半径Ｒ１が、その外側の外周縁の曲率半径Ｒ２よりも小とした案内部５５ｄとしている。
【００２９】
さらに前記上ロック金具５２も、前記支持軸１５ｆに挿入されかつ溶着される胴部の下端に略円板状をなす基板部を設けており、この基板部には、その中心から図において下方向にのびる長孔５５ｆを穿設し、かつその上方には前記前スロット部５５ｂと、立上がりスロット部５５ｃとに半径方向中心側への移動により嵌着しうる係止ピン５５ｇとを設けている。
【００３０】
前記挿通軸５４は、頭部５４ａに、前記長孔５５ｆと、中心孔５５ａとをカラー５４ｂを介して挿通する軸部５４ｃと、ネジ部５４ｄとを連設しこのネジ部５４ｄをナット止めすることにより、下ロック金具５１と、上ロック金具５２を揺動可能に枢支している。
【００３１】
前記上ロック金具５２は、前記挿通軸５４が長孔５５ｆの上端となる位置まで押し下げることにより、図１５（ａ）、（ｃ）に示すごとく、係止ピン５５ｇを、前スロット部５５ｂと、立上がりスロット部５５ｃとに選択的に嵌着することによりこの上ロック金具５２を拘束でき、例えば前スロット部５５ｂに嵌着することによって、立上げ部枠体１５Ｂが前記寝具２に沿う倒れ状態に倒動することにより前記立上げ部枠体１５Ｂの高さを減じる。また立上がりスロット部５５ｃに嵌着したときには、前記立上げ部１０Ｂを、後方に約１０゜傾けて受け部１０Ａ上で立上がらせる。このように宮部を形成する立ち上がり状態と倒動状態との間で傾動、ロックしうる。なお、前記係止ピン５５ｇは、前記上ロック金具５２の半径方向外側への引き上げにより図１５（ｂ）のように前記案内部５５ｄを移動でき、かつ曲率半径Ｒ２が大である外側への移動はロックされる。
【００３２】
この傾動ロック手段１４は、例えば図１６〜図１８に示すように、前記上ロック金具５２に係止ピン５５ｇと中心孔５５ａとを設け、かつ下ロック金具５１に前記長孔５５ｆと、前記係止ピン５５ｇが周方向に移動するスリットからなる案内部５５ｄに前記立上げ部枠体１５Ｂの立上げ状態でロックするための立上がりスロット部５５ｃを設けている。このように、傾動ロック手段１４は、前記した機能を奏することが可能であればその変形は可能である。
【００３３】
前記カバー体１６は、図２，図１１，図１２に示すごとく、本形態では、前記受具基枠１５を収納して覆いうる下開放の袋体であり（種々に形成しうる）、前記シート体２Ｃにマッチしたデザインのシートを用いて縫製される。また下縁にはその左右の両端部分を残して切り込んだ切欠き部１６ａを有し、両端には前記Ｕ字状枠１５ｃの下端で貼着される面フアスナ１６ｂと、前記横架材１５ｄ下方で貼着される面フアスナ１６ｃ、１６ｃとを設けてその貼着によって、カバー体１６は前記受具基枠１５を覆って前記宮付き受具１０を構成しうる。なお収納袋１５ｄなどを設けうる。
【００３４】
またこの宮付き受具１０は、図３に示すように、立上げ部１０Ｂを、前記受け部１０Ａに対して立上がり状態で拘束されるとともに、該立上げ部１０Ｂが前記寝具２に沿う倒れ状態に倒動することにより前記立上げ部１０Ｂの高さを減じ、従って前記立上げ部１０Ｂを、立上がり状態と倒動状態との間で傾動させうる。
【００３５】
又、図２０，図２１に示すごとく、前記第１，第２のベッド枠体５Ａ，５Ｂが前記逆Ｖ字の垂直に折り畳まれた状態においては、前記立上げ部１０Ｂが寝具に沿って立ち上がることとなる。
【００３６】
前記シート体２Ｃは、図１〜図３に示すように、第１，２の載置枠３Ａ，３Ｂのマット半体２Ａ，２Ｂの上面をともに覆う基部２ａと、その両側で垂下する側垂れ部２ｂと、該側垂れ部２ｂとは分離され前記第２の載置枠３Ｂの前記マット半体２Ｂのずれを防ぐ前記受具１２を前記第２の載置枠３Ｂ上のマット半体２Ｂの一端側端面とともに覆う端垂れ部２ｃと、前記側垂れ部２ｂに一体に連続し前記第１の載置枠３Ａ上のマット半体２Ａの一端Ｓ１側端面で垂下する保持垂れ部２ｄとからなる。なお側垂れ部２ｂには本形態では面フアスナである保持具２ｆを内外面に貼着している。
【００３７】
なお保持垂れ部２ｄは、他の垂れ部２ａ〜２ｃよりも小巾であり、前記周囲枠２１の後枠部２１ｆのスペーサ２１ｇ上方で中央部は終端して前記マット半体２Ａを後端面で係止しうる。その結果、図１９〜図２１に示すごとく、保持垂れ部２ｄは位置ずれ不能に保持されるため、折畳みの進行とともに、他方の端垂れ部２ｃが基部２ａ、側垂れ部２ｂとともにマット半体２Ｂから位置ずれしてこのマット半体２Ｂの後端に露出部２ｅを形成する。また図２１のように、側垂れ部２ｂを左右の両側面で互いに畳んで重ね、かつ前記面フアスナなどの保持具２ｆにより保持させることにより収納を便宜とする。又前記宮付き受具１０の立上げ部１０Ｂは寝具２に沿って、立ち上がり、寝具２の押さえにも役立つことにより収納、保管を便宜とする。
【００３８】
【発明の効果】
上述したように、請求項１記載の発明では、折畳みベッドにおいて宮部を形成でき、かつ立上げ部が高さ変化機構により高さを減じうるため、折畳み状態において宮部による突出がなく、収納、移動を便宜とする。
【００３９】
請求項２に係る発明において、前スロット部と、立上がりスロット部との間の外周縁を、曲率半径が、その外側の外周縁の曲率半径よりも小としたことにより、曲率半径が大である外側への係止ピンの移動がロックされる。
【００４０】
請求項３に係る発明において、垂直に折り畳まれた状態において、前記立上げ部が寝具に沿って立ち上がることにより寝具の押さえにも役立つ。
【００４１】
又請求項４に係る発明は、宮付き受具が、長軸材を用いて形成した受具基枠と、この受具基枠を封入するカバー体とからなる結果、軽量化でき、かつ寝具との色合わせを容易として見映えを高める。
【００４２】
請求項５に係る発明においては、シート体が、第１の載置枠上のマット半体の一端側端面で保持されてマット上を移動することにより収納を便利とする。
【図面の簡単な説明】
【図１】本発明の一実施の形態を例示する一部を断面した斜視図である。
【図２】その分解斜視図である。
【図３】その側面図である。
【図４】載置枠と支脚部との取付け状態、及び浮き上がり防止手段を例示する斜視図である。
【図５】載置枠と中間支脚部との枢着状態を例示する斜視図である。
【図６】滑車の取付け状態を例示する断面図、
【図７】補強材を通る弾性材を例示する断面図である。
【図８】（ａ）従来の弾性材の取付け状態を例示する線図、（ｂ）それにより生じる引起こしモーメントを説明する線図である。
【図９】本形態で開示する弾性材の取付け状態により生じる引起こしモーメントを説明するための線図である。
【図１０】図８（ｂ）、図９のの引張部材による引起こしモーメントを例示する線図である。
【図１１】宮付き受具を説明する背面図である。
【図１２】カバー体を例示する正面図、（ｂ）はその側面図である。
【図１３】傾動ロック手段を例示する断面図である。
【図１４】その分解斜視図である。
【図１５】（ａ）、（ｂ）、（ｃ）はその作用を例示する断面図である。
【図１６】傾動ロック手段の他の実施の形態を例示する断面図である。
【図１７】その分解斜視図である。
【図１８】（ａ）、（ｂ）、（ｃ）はその作用を示す断面図である。
【図１９】折畳みの中間状態を例示する側面図である。
【図２０】折畳み状態を例示する側面図である。
【図２１】折畳み状態を寝具を含めて例示する斜視図である。
【図２２】宮付きを例示する側面図である。
【図２３】その折畳み状態を例示する側面図である。
【符号の説明】
２            寝具
２Ａ，２Ｂ、  マット半体
２Ｃ          シート体
２ａ          基部
２ｂ          側垂れ部
２ｃ          端垂れ部
２ｄ          保持垂れ部
３            載置枠
３Ａ          第１の載置枠
３Ｂ          第２の載置枠
４            支脚部
４Ａ          第１の支脚部
４Ｂ          第２の支脚部
５Ａ          第１のベッド枠体
５Ｂ          第２のベッド枠体
７            中間支脚部
８            継ぎ部材
９            ベッド基体
１０          宮付き受具
１０Ａ        受け部
１０Ｂ        立上げ部
１３          高さ変化機構
１４          傾動ロック手段
１５          受具基枠
１５Ａ        受け部枠体
１５Ｂ        立上げ部枠体
１６          カバー体
１７          引起こし手段
１８          浮上がり防止手段
【図１】
0003802436.tif 000002
【図２】
0003802436.tif 000003
【図３】
0003802436.tif 000004
【図４】
0003802436.tif 000005
【図５】
0003802436.tif 000006
【図６】
0003802436.tif 000007
【図７】
0003802436.tif 000008
【図８】
0003802436.tif 000009
【図９】
0003802436.tif 000010
【図１０】
0003802436.tif 000011
【図１１】
0003802436.tif 000012
【図１２】
0003802436.tif 000013
【図１３】
0003802436.tif 000014
【図１４】
0003802436.tif 000015
【図１５】
0003802436.tif 000016
【図１６】
0003802436.tif 000017
【図１７】
0003802436.tif 000018
【図１８】
0003802436.tif 000019
【図１９】
0003802436.tif 000020
【図２０】
0003802436.tif 000021
【図２１】
0003802436.tif 000022
【図２２】
0003802436.tif 000023
【図２３】
0003802436.tif 000024